(57)【特許請求の範囲】
【請求項１】
情報処理方法であって、
第２のデバイスによって、ビデオ内の商品の識別情報を取得するステップであって、前記第２のデバイスは第４のデバイスにビデオサービスを提供するサーバである、ステップと、
前記第２のデバイスによって、前記商品の前記識別情報に従って、対応する広告情報を取得するステップと、
前記第２のデバイスによって、第１の読み取り応答内に前記広告情報を含むステップと、
前記第２のデバイスによって、前記第１の読み取り応答を前記第４のデバイスに送信するステップとを含み、
前記方法は、
前記第２のデバイスによって、前記ビデオに表示された前記商品の前記識別情報および前記商品の前記広告情報を取得するステップであって、前記第２のデバイスによって、第１のデバイスから、前記商品の前記識別情報と、前記商品の前記広告情報とを含む第２の広告アクセス要求を受信するステップを含む、ステップと、
前記第２のデバイスによって、前記第２の広告アクセス要求内のアクセスされる前記広告情報の監査結果を取得するステップであって、前記監査結果は、アクセスされる前記広告情報が違法コンテンツを含むか否か及びアクセスされる前記広告情報へのアクセスが許可されるか否かを示す、ステップと、
前記第２のデバイスによって、第２の広告アクセス応答内に前記監査結果を含むステップと、
前記第２のデバイスによって、前記第２の広告アクセス応答を前記第１のデバイスに送信するステップと、
前記第２のデバイスによって、前記ビデオに関連付けられた第２のインデックスリストを確立するステップであって、前記第２のインデックスリストは、前記ビデオ内に現れる商品の識別情報と、前記商品の広告情報の識別情報との間のマッピング関係を示す、ステップと、
前記第２のデバイスによって、前記第２のインデックスリストを記憶するステップとをさらに含む、方法。
【請求項２】
前記第２のデバイスによって、前記商品の前記識別情報に従って、対応する広告情報を取得する前記ステップは、
前記商品の前記識別情報に従って問い合わせ結果を得るために、前記第２のデバイスによって、第２の予め設定されたインデックスリストに問い合わせるステップであって、前記問い合わせ結果は、前記商品の前記識別情報に対応する前記広告情報がインデックスデータベース内に存在するか否かを示す、ステップと、
前記問い合わせ結果が、前記商品の前記識別情報に対応する前記広告情報が前記インデックスデータベース内に存在することを示すとき、前記第２のデバイスによって、第２のインデックスリストから前記商品の前記識別情報に対応する前記広告情報の識別情報を得るステップと、
前記第２のデバイスによって、前記広告情報の前記識別情報に従って前記インデックスデータベースから前記広告情報を取得するステップとを含む、請求項１に記載の方法。
【請求項３】
前記問い合わせ結果が、前記商品の前記識別情報に対応する広告情報が前記インデックスデータベース内に存在しないことを示すとき、前記第２のデバイスによって、前記第１の読み取り応答内に前記問い合わせ結果を含むステップ、および前記第１の読み取り応答を前記第４のデバイスに送信するステップをさらに含む、請求項２に記載の方法。
【請求項４】
前記第２のデバイスによって、前記ビデオに表示された前記商品の前記識別情報を取得する前記ステップは、
前記第２のデバイスによって、前記ビデオを再生するステップと、
前記第２のデバイスによって、前記ビデオの現在再生フレーム内の前記商品を選択する第１の入力動作を取得するステップと、
前記第２のデバイスによって、前記ビデオの前記現在再生フレームから、前記第１の入力動作に対応する前記商品の前記識別情報を取得するステップと、
前記第２のデバイスによって、前記商品の前記広告情報を入力するための第２の入力動作を取得するステップとを含む、請求項１に記載の方法。
【請求項５】
前記第２のデバイスによって、前記ビデオに表示された前記商品の前記識別情報および前記商品の前記広告情報を取得する前記ステップは、
前記第２のデバイスによって、前記ビデオ内の現在再生フレームのフレーム番号情報を取得するステップと、
前記第２のデバイスによって、前記現在再生フレームの前記フレーム番号情報に従って、前記現在再生フレーム内の前記商品の前記識別情報を取得するステップと、
前記第２のデバイスによって、前記商品の前記識別情報に従って、広告データベースから前記商品の前記広告情報を取得するステップとを含む、請求項１に記載の方法。
【請求項６】
前記第２の広告アクセス要求に応答して、監査結果を得るために、前記第２のデバイスによって、前記第２の広告アクセス要求内の前記広告情報を監査するステップ
または
前記第２の広告アクセス要求に応答して、前記第２のデバイスによって、監査役に前記広告情報の監査を促すための第１のプロンプトを送信するステップ、および前記第２のデバイスによって、前記監査役の動作に従って、前記監査結果を取得するステップ
または
前記広告情報を監査するように前記監査役に要求するための前記第２の広告アクセス要求に応答して、前記第２のデバイスによって、監査要求を第３のデバイスに送信するステップ、および前記第２のデバイスによって、前記第３のデバイスから前記監査結果を受信するステップをさらに含む、請求項１に記載の方法。
【請求項７】
前記第２のデバイスによって、ビデオ内の商品の識別情報を取得する前記ステップは、
前記第２のデバイスによって、第１の読み取り要求を受信するステップであって、前記第１の読み取り要求は、前記商品の前記識別情報を含み、かつ第１の読み取り要求は、前記商品の前記識別情報に対応する前記商品の前記広告情報を要求するために使用される、ステップを含む、請求項１から６のいずれか一項に記載の方法。
【請求項８】
前記第２のデバイスによって、ビデオ内の商品の識別情報を取得する前記ステップは、
前記第２のデバイスによって、前記ビデオのビデオ情報と、現在再生フレームのフレーム番号と、前記商品の位置情報とを含む第１の読み取り要求を受信するステップであって、前記第１の読み取り要求は、前記ビデオ情報と、前記現在再生フレームの前記フレーム番号と、前記商品の前記位置情報とに対応する前記商品の前記広告情報を要求するために使用される、ステップと
前記第２のデバイスによって、前記第１の読み取り要求内の前記ビデオ情報と、前記現在再生フレームのフレーム番号と、前記商品の位置情報とに従って、前記商品の前記識別情報を決定するステップとを含む、請求項１から６のいずれか一項に記載の方法。
【請求項９】
第１の取得ユニット、第２の取得ユニット、第１の収容ユニットおよび第１の送信ユニットを含む第２の情報処理装置であって、前記第２の情報処理装置は第４のデバイスにビデオサービスを提供するサーバであり、
前記第１の取得ユニットは、ビデオ内の商品の識別情報を取得するように構成され、
前記第２の取得ユニットは、前記商品の前記識別情報に従って、対応する広告情報を取得するように構成され、
前記第１の収容ユニットは、第１の読み取り応答内に前記広告情報を含むように構成され、
前記第１の送信ユニットは、前記第１の読み取り応答を前記第４のデバイスに送信するように構成され、
前記第２の情報処理装置は、第３の取得ユニット、第４の取得ユニット、第２の収容ユニット、第２の送信ユニット、確立ユニットおよび記憶ユニットをさらに含み、
前記第３の取得ユニットは、前記ビデオに表示された前記商品の前記識別情報および前記商品の前記広告情報を取得するように構成され、具体的には、第１のデバイスから、前記商品の前記識別情報と、前記商品の前記広告情報とを含む第２の広告アクセス要求を受信するように構成され、
前記第４の取得ユニットは、前記第２の広告アクセス要求内のアクセスされる前記広告情報の監査結果を取得するように構成され、前記監査結果は、アクセスされる前記広告情報が違法コンテンツを含むか否か及びアクセスされる前記広告情報へのアクセスが許可されるか否かを示し、
前記第２の収容ユニットは、第２の広告アクセス応答内に前記監査結果を含むように構成され、
前記第２の送信ユニットは、前記第２の広告アクセス応答を前記第１のデバイスに送信するように構成され、
前記確立ユニットは、前記ビデオに関連付けられた第２のインデックスリストを確立するように構成され、前記第２のインデックスリストは、前記ビデオ内に現れる商品の識別情報と、前記商品の広告情報の識別情報との間のマッピング関係を示し、
前記記憶ユニットは、前記第２のインデックスリストを記憶するように構成される、第２の情報処理装置。
【請求項１０】
コンピュータ実行可能命令を記憶するように構成された記憶媒体と、
商品を含むビデオを表示するように構成された表示画面と、
請求項１から８のいずれか一項に記載の方法を実現するために前記記憶媒体に記憶された前記コンピュータ実行可能命令を実行するように構成されたプロセッサとを含む、第２のデバイス。
【発明の詳細な説明】
【技術分野】
【０００１】
本出願は、2015年8月25日にTencent Technology (Shenzhen) Co., Ltd.によって出願された、「information processing method and device」という名称の中国特許出願第201510527558.X号に対する優先権を主張するものであり、また、その全体は、参照により本明細書に組み込まれる。
【０００２】
本開示は、ビデオ情報処理技術に関し、特に情報処理方法、装置およびデバイスに関する。
【背景技術】
【０００３】
映画やテレビ(TV)市場の勢いが発達するとともに、映画やTVビデオに現れる物は、視聴者によってファッションとして愛され、需要が高くなる可能性が非常に高い。現在、映画やテレビのビデオには、共通する2つの広告戦略がある。1つは、映画/テレビドラマの冒頭、終わり、中断時に現れる映画広告である。図1-1は、関連技術に従う第1の広告戦略の概略図である。図1-1は、映画「Where Are We Going、Dad？-2」の冒頭に現れるプレムービー広告を示しており、広告にバドワイザービール11が表示されている。もう1つは、黙示的に埋め込まれた広告である。図1-2は関連技術に従う第2の広告戦略の概略図であり、図1-2は、映画「Where Are We Going、Dad?-2」に黙示的に埋め込まれた自動車広告を示している。プレムービー広告とは、広告操作会社が映画制作者、配給者、制作者と協力して、各映画が公開される前にクライアントのブランド広告を演出することを指し、映画広告の最も明白で外的な形態であり、「ハード広告」に属する。埋め込まれた広告とは、特定のブランドの商品またはサービスを、媒体と一緒に消費者に販売するための媒体の一部として媒体に組み込むことを指す。埋め込まれた広告は、視聴者が無意識のうちにブランドに感銘を受けるように、黙示的かつ人間味あふれる方法で映画のストーリーに広告を組み込む。
【０００４】
映画広告には次のような欠点がある。1)映画を視聴しているユーザについては、プレムービー広告が通常映画およびテレビのコンテンツに関連しておらず、プレムービー広告が映画およびテレビのコンテンツの冒頭に突然表示され、ユーザを妨害し、ユーザーエクスペリエンスに影響を与え、ユーザを怒らせる可能性がある。2)広告配信者については、映画やテレビのコンテンツの冒頭にプレムービー広告が通常現れるため、表示可能な時間長は、ユーザの許容範囲内でなければならず、すなわち、プレムービー広告を表示する時間が限られているため、配信者によって配信可能な広告数も限られている。3)広告パーティーについては、プレムービー広告を配信するにはコストがかかるが、一方、広告パーティーによって配信される広告の視聴者はすべて映画視聴ユーザであり、関心のあるユーザグループに広告のターゲット配信を実施することは不可能である。
【０００５】
黙示的な埋め込み広告には、次のような欠点がある。1)ビデオ内に現れる物によってユーザに伝わりうる情報の量が非常に限られており、ビデオ内に現れる物がユーザの注意を引く可能性は非常に高いが、非常に限定された量の情報しかユーザに伝えることができないという葛藤が生じる。2)黙示的な埋め込み広告方法は、ユーザのためのジャンプリンクまたは購入インタフェースを提供し得ないため、直接的に映画視聴ユーザを対応する購入ユーザにすることはできない。3)黙示的な埋め込み広告はまた、非常に高い広告費を必要とする。
【発明の概要】
【課題を解決するための手段】
【０００６】
これを考慮し、従来技術の少なくとも1つの問題を解決するために、本開示の実施形態である、情報処理方法および装置、ならびにデバイスが提供され、直接的にビデオユーザを商品の消費者にすることができ、それにより、ビデオの収益を増加させることができる。
【０００７】
本開示の実施形態の技術的解決策は、以下のように実施される。
【０００８】
第1の態様では、本開示の実施形態は、情報処理方法を提供し、当該方法は、第2のデバイスがビデオ内の商品の識別情報を取得し、第2のデバイスが商品の識別情報に従って対応する広告情報を取得し、第1の読み取り応答内に第2のデバイスが広告情報を含み、第1の読み取り応答を第4のデバイスに送信することを含んでもよい。
【０００９】
第2の態様では、本開示の実施形態は情報処理方法を提供し、当該方法は、第1のデバイスがビデオを再生し、第1のデバイスがビデオの現在再生されているフレーム内の商品を選択するように構成された第1の入力動作を取得し、第1のデバイスがビデオの現在のフレームから第1の入力動作に対応する商品の識別情報を取得し、第1のデバイスが商品の広告情報を入力するための第2の入力動作を取得し、第1のデバイスが第2の入力動作に従って商品の広告情報を取得し、第1のデバイスが商品の識別情報および広告情報を含む第2の広告アクセス要求を第2のデバイスに送信し、第1のデバイスが第2のデバイスから第2の広告アクセス応答を受信することを含んでもよく、第2の広告アクセス応答は監査結果を含み、監査結果は広告情報が監査にパスしたか否かを示す。
【００１０】
第3の態様では、本開示の実施形態は情報処理方法を提供し、当該方法は、第4のデバイスがビデオを再生し、第4のデバイスがビデオの現在のフレーム内の商品を選択するように構成された第1の入力動作を取得し、第4のデバイスがビデオの現在再生されているフレームから、第1の入力動作に対応する商品の識別情報を取得し、第4のデバイスが商品の識別情報に従って、対応する広告情報を取得し、第4のデバイスが第4のデバイスの表示画面に広告情報を表示することを含んでもよい。
【００１１】
第4の態様では、本開示の実施形態は、第2の情報処理デバイスを提供し、当該デバイスは、第1の取得ユニット、第2の取得ユニット、第1の収容ユニットおよび第1の送信ユニットを含んでもよく、
第1の取得ユニットは、ビデオ内の商品の識別情報を取得するように構成されてもよく、
第2の取得ユニットは、商品の識別情報に従って、対応する広告情報を取得するように構成されてもよく、
第1の収容ユニットは、第1の読み取り応答内に広告情報を含むように構成されてもよく、
第1の送信ユニットは、第1の読み取り応答を第4の機器に送信するように構成されてもよい。
【００１２】
第5の態様では、本開示の実施形態は第2のデバイスを提供し、当該デバイスは、記憶媒体、プロセッサおよび表示画面を含んでもよく、記憶媒体はコンピュータ実行可能命令を記憶するように構成されてもよく、
表示画面は商品を含むビデオを表示するように構成されてもよく、
プロセッサは記憶媒体に記憶されたコンピュータ実行可能命令を実行するように構成されてもよく、コンピュータ実行可能命令は、ビデオ内の商品の識別情報を取得することと、商品の識別情報に従って、対応する広告情報を取得することと、第1の読み取り応答内に広告情報を含むことと、第1の読み取り応答を第4のデバイスに送信することとを含む。
【００１３】
本開示の実施形態によって提供される情報処理方法と、装置と、デバイスにおいて、第2のデバイスはビデオ内の商品の識別情報を取得し、商品の識別情報に従って対応する広告情報を取得し、第1の読み取り応答内に広告情報を含み、第1の読み取り応答を第4のデバイスに送信する。このようにして、直接的にビデオユーザは商品の消費者にされ得、それによってビデオの収益が増加する。
【図面の簡単な説明】
【００１４】
【図１−１】関連技術に従う第1の広告戦略の概略図である。
【図１−２】関連技術に従う第2の広告戦略の概略図である。
【図１−３】本開示の実施形態に従う情報処理方法の実施フローチャートである。
【図１−４】本開示の実施形態に従う第2のデバイスと第4のデバイスとの間の関係の概略図である。
【図２−１】本開示の実施形態2に従う情報処理方法の実施フローチャートである。
【図２−２】本開示の実施形態2の第1のシナリオである。
【図２−３】本開示の実施形態2の第2のシナリオである。
【図２−４】本開示の実施形態2に従う第1のインデックスリストの概略図である。
【図２−５】本開示の実施形態2の第3のシナリオである。
【図３】本開示の実施形態3に従う情報処理方法の実施フローチャートである。
【図４】本開示の実施形態4に従う情報処理方法の実施フローチャートである。
【図５】本開示の実施形態5に従う情報処理方法の実施フローチャートである。
【図６】本開示の実施形態6に従う情報処理方法の実施フローチャートである。
【図７】本開示の実施形態7に従う第2のインデックスリストを確立するフローチャートである。
【図８】本開示の実施形態8に従う情報処理方法の実施フローチャートである。
【図９】本開示の実施形態9に従う第2のデバイスの構造図である。
【図１０】本開示の実施形態10に従う第2のデバイスの構造図である。
【図１１】本開示の実施形態11に従う第2のデバイスの構造図である。
【図１２】本開示の実施形態12に従う第2のデバイスの構造図である。
【図１３】本開示の実施形態13に従う第1のデバイスの構造図である。
【図１４】本開示の実施形態14に従う第4のデバイスの構造図である。
【図１５】本開示の実施形態に従う広告システムのアーキテクチャ図である。
【図１６】本開示の実施形態16に従う情報処理方法のフローチャートを示す。
【図１７】本開示の実施形態17に従う情報処理方法の実施フローチャートを示す。
【発明を実施するための形態】
【００１５】
背景技術における問題を解決するために、本開示の実施形態は、情報処理方法を実施する。ビデオ内に現れる商品については、その商品を提供可能な販売者の広告情報を提供し、加えて、販売者によって提供される商品情報を表示し(すなわち、商品がビデオに表示される広告インターフェース)、広告情報はまた、商品の紹介、販売価格、購入リンク、または購入住所などの属性情報を提供する。ビデオを視聴しているユーザは、ビデオを視聴している過程で興味のある商品を発見すると、ビデオを一時停止して興味のある商品を選択するだけでよく、本開示の実施形態によって提供される方法は、対応する商品の広告情報をフローティング層方式で提示してもよく、ユーザは広告フローティング層を介して商品を直接購入し、購入するための商品の購入インターフェースにジャンプしてもよい。以上のことから、本開示の実施形態によって提供される方法は、新たなビデオ広告方法を提供し、直接的にビデオユーザを商品の消費者にすることができ、多様な商品に適用可能であり、販売者が高い広告費用なしで関心のある視聴者に広告を表示することができる。
【００１６】
本開示の技術的解決策は、図面および特定の実施形態を参照して以下でさらに詳細に説明される。
【００１７】
実施形態1
本開示の実施形態は、第2のデバイスに適用される情報処理方法を提供する。情報処理方法によって実施される機能は、第2のデバイスのプロセッサを介してプログラムコードを呼び出すことによって実施されてもよい。勿論、プログラムコードは、コンピュータ記憶媒体に記憶されてもよい。すなわち、第2のデバイスは、プロセッサと記憶媒体とを少なくとも含む。
【００１８】
図1-3は、本開示の実施形態1に従う情報処理方法の実施フローチャートである。図1-3に示すように、情報処理方法は以下のステップを含む。
【００１９】
ステップ101では、第2のデバイスは、ビデオ内の商品の識別情報を取得する。
【００２０】
ここで、特定の実施プロセスにおいて、第2のデバイスは、パーソナルコンピュータ(PC)、産業用制御コンピュータ、スマートフォン、タブレットコンピュータ、サーバなどであってもよい。ここで、PCとは、デスクコンピュータ、デスクトップコンピュータ、オールインワン(AIO)、ノートパソコンなどを含む。
【００２１】
ステップ102では、第2のデバイスは、商品の識別情報に従って対応する広告情報を取得する。
【００２２】
ここで、第2のデバイスは、商品の広告提供者(略して広告主という)が提供する、商品の広告情報を記憶する。特定の実施プロセスでは、あるビデオの広告情報がデータベース内に記憶されてもよい。また、検索を容易にするために、広告情報の識別情報が広告情報に設定されてもよく、広告情報の識別情報は、広告情報の名称や番号のような情報であってもよい。広告情報の識別情報は、広告情報を一意に識別する番号情報であってもよく、次いで広告情報の番号情報に従ってビデオの広告情報がデータベース内に記憶される。また、関係リストが設定されてもよく、関係リストは、商品の識別情報と広告情報の識別子とのマッピング関係を示すために使用され、商品の識別情報に従って広告情報の識別情報が見出されるようにしてもよく、次いで、広告情報の識別情報に従って対応する広告情報がデータベースから見出されるようにしてもよい。ビデオの広告情報は、ビデオの再生フレームに密接に関連しているため、フレーム内の商品の識別情報はフレーム単位で関係リストに記憶されてもよく、広告情報が、フレーム単位でデータベース内に記憶されてもよい。
【００２３】
ここで、広告情報は、商品の広告情報であってもよく、かつ商品の広告情報は、商品名、ブランド、販売価格、原産地、販売モール、対象消費者などの、商品の任意の情報であってもよい。
【００２４】
ここで、商品の識別情報に従って第2のデバイスによって取得された広告情報は、ローカルに記憶されていてもよいし、他の専用データベースサーバから取得されてもよい。
【００２５】
ステップ103では、第2のデバイスは、第1の読み取り応答内に広告情報を含み、かつ第1の読み取り応答を第4のデバイスに送信する。
【００２６】
ここで、特定の実施プロセスでは、第4のデバイスは、PC、産業用制御コンピュータ、スマートフォン、タブレットコンピュータ、およびサーバなどのビデオを視聴可能な電子デバイスであってもよく、ここでPCは、デスクトップコンピュータ、オールインワン(AIO)、ノートブックコンピュータなどを含んでもよい。
【００２７】
ここで、第2のデバイスと第4のデバイスとは、クライアントサーバモデル(Client Server Model, C/S)アーキテクチャを採用してもよく、すなわち、クライアントは、アプリケーション(APP)として、第4のデバイス(より一般的に言えば第4のデバイスは端末である)にインストールされ、第2のデバイスは、第4のデバイスにビデオサービスを提供するサーバとして機能する。図1Dは、第2のデバイスと第4のデバイスとの関係を示している。図1-4から分かるように、第4のデバイス42は、ネットワーク41を介して第2のデバイス43に接続されている。図1-4に示すアーキテクチャに基づいて、第4のデバイスのビデオ再生プロセスは、ユーザが第4のデバイス42を介してビデオを視聴する過程で、第4のデバイス42がネットワーク41を介して第2のデバイス43にビデオを要求し、次いで第2のデバイス43は、ネットワーク41を介して第4のデバイス42に、視聴されるビデオを送信し、次いで、第4のデバイスは、第4のデバイスの表示画像にビデオを表示する。
【００２８】
本開示の実施形態によって提供される情報処理方法およびデバイスでは、第2のデバイスは、ビデオ内の商品の識別情報を取得し、商品の識別情報に従って、対応する広告情報を取得し、第1の読み取り応答内に広告情報を含み、かつ第1の読み取り応答を第4のデバイスに送信する。このようにして、直接的にビデオユーザは商品の消費者にすることができ、それによってビデオの収益が増加する。
【００２９】
実施形態2
本開示の実施形態は情報処理方法を提供する。図2-1は、本開示の実施形態に従う情報処理方法の実施フローチャートである。図2-1に示されるように、情報処理方法は以下のステップを含む。
【００３０】
ステップ201では、第4のデバイスはビデオを再生する。
【００３１】
ここで、第4のデバイスのプロセスを再生するビデオは、上述の実施形態におけるステップ103を参照してもよく、従ってここでは詳細に述べない。
【００３２】
ステップ202では、第4のデバイスは、ビデオの現在のフレーム内の商品を選択する第1の入力動作を取得する。
【００３３】
ここで、商品は、例えば、図2-2に示すシャツ14、ネクタイ13、ミルク17、メガネ15、上着16や、図2-3に示す半袖シャツ19、ネックレス12、シフォンシャツ21であってもよい。
【００３４】
ここで、第1の入力動作は、端末の種類によって異なってもよい。例えば、端末が通常のPCであり、入力デバイスがマウスである場合、第1の入力動作は、マウスを介してユーザによって実行されるビデオのクリック動作であり、勿論、ビデオ上の商品は、マウスを介して実行されるクリック動作によって選択される商品である。端末の表示デバイスがタッチ表示画面(スマートフォン、タブレットコンピュータ、デスクトップコンピュータなど)であるとき、第1の入力動作は、指、スタイラスなどを含むことができる動作体のタッチ動作であってもよい。なお、当業者であれば、第1の入力動作の具体的な動作方法を自身で定義することができる。例えば、第1の入力動作は、ビデオの一時停止および他の動作をトリガするためのユーザの動作を含んでもよい。例えば、第1の入力動作は、ユーザがビデオを一時停止する一連の動作を含んでもよい、ユーザはビデオ上でマウスを動かし、ビデオ内の商品の上にマウスの表示カーソルを乗せて、ビデオの現在再生されているフレーム内の商品を選択する。勿論、第1の入力動作は、以下のように実施されてもよい。すなわち、ユーザは、現在のフレーム上の商品を指でタッチするか、またはユーザが現在のフレーム上の商品にマウスを乗せる。特定の実施プロセスでは、当業者は、本開示の実施形態によって提供される方法に限定されずに、様々な周知の方法によって第1の入力動作を実施することができ、従って、ここでの詳述は省略する。
【００３５】
ステップ203では、第4のデバイスは、ビデオの現在再生されているフレームから第1の入力動作に対応する商品の識別情報を取得する。
【００３６】
ここで、ステップ203における第4のデバイスがビデオの現在再生されているフレームから第1の入力動作に対応する商品の識別情報を取得する動作は、以下を含む。
【００３７】
ステップ2031では、第4のデバイスはユーザの第1の入力動作を位置付け、第1の入力動作の位置情報を得る。
【００３８】
ステップ2032では、第4のデバイスはビデオのビデオ情報および現在のフレームのフレーム番号を取得する。
【００３９】
ステップ2033では、第4のデバイスは、ビデオのビデオ情報と、現在のフレームのフレーム番号と、第1の入力動作の位置情報とに従って商品の識別情報を取得する。
【００４０】
本開示の実施形態におけるステップ2031からステップ2033は、ステップ203の特定の実施プロセスを実際に提供する。なお、本開示の実施形態のステップ2033では、端末は、商品の識別情報をローカルに取得してもよく、または商品の識別情報をサーバに要求してもよい。
【００４１】
端末が商品の識別情報をローカルに取得したとき、端末は、第1のインデックスリストを記憶する必要があり、かつ端末は、ビデオ情報、現在のフレームのフレーム番号および第1の入力動作の位置情報に従って、第1のインデックスリストに商品の識別情報を問い合わせる。図2-4は、本開示の実施形態2に従う第1のインデックスリストの概略図である。図2-4に示すように、ビデオ情報は、ビデオの識別情報(数字で表される)と解像度(画素で表される)とを含むものとし、まず、第1の入力動作に対応する位置情報は{[05,05]、[05,06]、[06,05]、[06,06]}であり、ビデオのシーケンス番号は004であり、かつフレーム番号は007であり、{}内の数字は位置情報を表し、[]内の第1桁は第1方向53の位置情報を表し、[]内の第2桁は第2方向54の位置情報を表すものとし(位置情報は解像度に依存する)、ビデオ情報および第1の入力動作の位置情報に従って端末が商品の識別情報を決定するプロセスは、以下の通りである：端末は、ビデオ番号004に対応するインデックスを求めて第1のインデックスリストを検索してもよく、次いで、004に対応するインデックス以下のフレーム番号007に対応するインデックスを見つけ出し、第1の入力動作の位置情報に従って2次元リストと、第1の方向53を表す2次元リストの水平座標と、第2の方向54を表す2次元リストの垂直座標とを問い合わせ、次いで、2次元リストに問い合わせ、第1の入力動作の位置情報に従って商品の識別情報01を得る。このようにして、第1の入力動作に従って商品の識別情報が決定されてもよい。2次元リストにおいて、識別情報00は女優の肌を表し、識別情報01はネックレスを表し、識別情報02は女優の衣服を表す。
【００４２】
端末が商品の識別情報をローカルに取得する方法について説明した。これに対応して、端末が商品の識別情報をローカルに取得するプロセスがサーバに適用されてもよく、次いで端末がサーバに商品の識別情報を要求してもよい。違いは、端末がビデオのビデオ情報と、現在のフレームのフレーム番号と、第1の入力動作の位置情報とをサーバに送信する必要があり、サーバは、端末によって送信された情報を受信し、図2-4に示される第1のインデックスリストに従って商品の識別情報を取得し、次いでその商品の識別情報を端末に送信することである。
【００４３】
ステップ204では、第4のデバイスは、商品の識別情報を第1の読み取り要求内に含み、かつ第1の読み取り要求を第2のデバイスに送信する。
【００４４】
ここで、第1の読み取り要求は、商品の識別情報に対応する商品の広告情報を要求するために使用される。
【００４５】
ステップ205では、第2のデバイスは第1の読み取り要求を受信する。
【００４６】
ここで、第1の読み取り要求は商品の識別情報を含み、すなわち、第2のデバイスは、第1の読み取り要求からビデオ内の商品の識別情報を取得する。
【００４７】
ステップ206では、第2のデバイスは、第2の予め設定されたインデックスリストに問い合わせ、商品の識別情報に従って問い合わせ結果を得る。
【００４８】
ここで、問い合わせ結果は、商品の識別情報に対応する広告情報がインデックスデータベース内に存在するか否かを示してもよい。
【００４９】
ステップ207では、問い合わせ結果が、記商品の識別情報に対応する広告情報がインデックスデータベース内に存在することを示すとき、第2のデバイスは、第2のインデックスリストから商品の識別情報に対応する広告情報の識別情報を得る。
【００５０】
ステップ208では、第2のデバイスは、広告情報の識別情報に従ってインデックスデータベースから広告情報を取得する。
【００５１】
ここで、ステップ206からステップ208は、ステップ102を実施するための方法、すなわち、どのように“第2のデバイスが、商品の対応する識別情報に従って広告情報を取得する”かを、実際に提供する。
【００５２】
ステップ209では、第2のデバイスは、広告情報を第1の読み取り応答内に含み、かつ第1の読み取り応答を第4のデバイスに送信する。
【００５３】
ステップ210では、第4のデバイスは第1の読み取り応答を受信する。
【００５４】
ここで、第1の読み取り応答は、広告情報を含む。
【００５５】
ここで、ステップ206からステップ210は、動作の特定の実施プロセス、すなわち、“第4のデバイスが、商品の対応する識別情報に従って広告情報を取得する”ことを実際に提供する。
【００５６】
ステップ211では、第4のデバイスは、第4のデバイスの表示画面に広告情報を表示する。
【００５７】
本開示の実施形態によって提供される技術的解決策は、以下のシナリオにおいて適用されてもよい。図2-5に示されるように、端末(PC、すなわち第4のデバイス)はビデオを再生しており(ステップ201)、ユーザはビデオの視聴中に興味のある商品を発見して位置決め動作を開始する(第1の入力動作)。例えば、ユーザは、端末上でビデオを視聴しており(図2-5のパートaに示されている)、最初に端末のディスプレイがタッチ表示画面であると仮定すると、端末は、ユーザのタッチ動作を受信してもよい。ユーザは、ビデオを視聴している間に女優が着用したネックレス12が非常に綺麗であることを発見し、ユーザはネックレス12上に指を置くことができ(図2-5のパートbに示されている)、すなわち、ユーザはビデオの現在のフレームからネックレス12(ネックレスが商品である)を選択し、次いで、端末がユーザのタッチ動作を受信する(第1の入力動作、ステップ202)。そして、ステップ203において、端末は、ビデオの現在再生されているフレームから、第1の入力動作に対応するネックレス12のシーケンス番号を取得する(ネックレス12の識別情報としてシーケンス番号が採用されている)。次に、ステップ204において、端末は、第1の読み取り要求にネックレス12のシーケンス番号を含み、第1の読み取り要求をサーバ(すなわち、第2のデバイス)に送信する。ステップ205において、サーバは、第1の読み取り要求を受信する。ステップ206において、サーバは、第2の予め設定されたインデックスリストに問い合わせ、ネックレス12のシーケンス番号に従って問い合わせ結果を得る。ここで、サーバは、ネックレス12の番号に対応する広告情報がインデックスデータベース内に存在するか否かを問い合わせるとする。ステップ207において、サーバは、ネックレス12のシーケンス番号に対応する広告情報の識別情報を第2のインデックスリストから得る。ステップ208において、サーバは、広告情報の識別情報に従って、インデックスデータベースから広告情報を取得する。ステップ209において、サーバは、広告情報を第1の読み取り応答内に含み、第1の読み取り応答を端末に送信する。ステップ210において、端末は、第1の読み取り応答を受信する。端末は、第1の読み取り応答からネックレス12の広告情報を取得する。端末は、ネックレス12の広告情報をフローティング層方式で表示する。図2-5のパートcに示すように、ネックレス12の広告情報は、フローティング層140を介してユーザに表示され、ネックレス12の広告情報は、商品名：サンシャインネックレス、ブランド：Zocai、デザイナ：未知、販売価格：\1899.0〜\2499.0、販売店：Jingdong Mall、Suning E-commerce、各物理店舗、およびZocaiの公式サイト、同一ブランドの同様の商品、およびブランド紹介を含む。フローティング層140は、クローズボタン141を含み、ユーザがクローズボタン141をトリガするとき、フローティング層140が閉じられてもよい。フローティング層140に表示されるコンテンツは、リンクをさらに含んでもよい。例えば、ネックレス12の販売モール142をリンク方式で開いてもよく、次いでユーザの指が販売モール142に触れると、販売モール142にリンクされたコンテンツ143が表示される。
【００５８】
特定の実施プロセスでは、フローティング層140は、ある表示期限を有し、例えば、30秒間表示され、その後、自動的にフローティング層140を閉じる。勿論、端末は、次のフレームが再生されるとき、現在のフレームのフローティング層を自動的に閉じてもよく、または第1の入力動作の持続時間に従ってフローティング層を表示してもよい。例えば、ユーザの指がネックレス12に留まっているときは、常にフローティング層140が表示され、ユーザの指がネックレス12から離れると、フローティング層は自然に消える。
【００５９】
上述した実施形態から分かるように、システムは、ビデオに現れる商品の対応する販売者への広告アクセスを提供してもよく、広告情報は、商品の紹介、販売価格、購入リンクまたは購入住所のような情報を含んでもよく、広告システムは販売者のための広告インタフェースを確立する。ビデオ視聴プロセスにおいて興味のある商品を発見した場合、ビデオを視聴しているユーザは、興味のある商品を選択するためにビデオを一時停止するだけでよく、システムは、対応する商品の広告インタフェースをフローティング層方式で表示してもよく、かつユーザは商品を直接購入し、または広告フローティング層を介して購入するための商品の購入インタフェースにジャンプしてもよい。従って、本開示の実施形態は、直接的にビデオユーザを商品の消費者にすることができる新規のビデオ広告方法を提供し、この方法は、様々な商品に適用可能であり、販売者が、高い広告費なしで関心のある視聴者に広告を表示することができる。
【００６０】
実施形態3
本開示の実施形態は情報処理方法を提供する。図3は、本開示の実施形態3に従う情報処理方法の実施フローチャートである。図3に示されるように、情報処理方法は以下のステップを含む。
【００６１】
ステップ301では、第4のデバイスは、ビデオを再生している。
【００６２】
ここで、第4のデバイスのビデオ再生プロセスは、図1Cにおけるステップ103を参照してもよく、従ってここでは詳細に述べない
【００６３】
ステップ302では、第4のデバイスは、ビデオの現在のフレーム内の商品を選択する第1の入力動作を取得する。
【００６４】
ステップ303では、第4のデバイスは、ユーザの第1の入力動作を位置付け、第1の入力動作の位置情報を得る。
【００６５】
ステップ304では、第4のデバイスは、商品の位置情報を第1の読み取り要求内に含み、かつ第1の読み取り要求を第2のデバイスに送信する。
【００６６】
ここで、第1の読み取り要求は、ビデオのビデオ情報、現在のフレームのフレーム番号および商品の位置情報を含み、かつ第1の読み取り要求は、ビデオ情報と、現在のフレームのフレーム番号と、商品の位置情報とに対応する商品の広告情報を要求するために使用される。
【００６７】
ステップ305では、第2のデバイスは、第1の読み取り要求を受信する。
【００６８】
ステップ306では、第2のデバイスは、第1の読み取り要求内のビデオ情報と、現在のフレームのフレーム番号と、商品の位置情報とに従って、商品の識別情報を取得する。
【００６９】
ここで、ステップ306では、サーバは、ビデオのビデオ情報と、現在のフレームのフレーム番号と、第1の入力動作の位置情報(商品の位置情報)とを受信し、次いで、サーバは、図2-4に示される第1のインデックスリストに従って商品の識別情報を取得する。
【００７０】
ステップ307では、第2のデバイスは第2の予め設定されたインデックスリストに問い合わせ、商品の識別情報に従って問い合わせ結果を得る。
【００７１】
ここで、問い合わせ結果は、商品の識別情報に対応する広告情報がインデックスデータベース内に存在するか否かを示すために使用される。
【００７２】
ステップ308では、問い合わせ結果が、インデックスデータベース内に商品の識別情報に対応する広告情報が存在することを示すとき、第2のデバイスは、第2のインデックスリストから商品の識別情報に対応する広告情報の識別情報を得る。
【００７３】
ステップ309では、第2のデバイスは、広告情報の識別情報に従って、インデックスデータベースから広告情報を取得する。
【００７４】
ステップ310では、第2のデバイスは、広告情報を第1の読み取り応答内に含み、かつ第1の読み取り応答を第4のデバイスに送信する。
【００７５】
ステップ311では、第4のデバイスは第1の読み取り応答を受信する。
【００７６】
ここで、第1の読み取り応答は、広告情報を含む。
【００７７】
ステップ312では、第4のデバイスは、第4のデバイスの表示画面に広告情報を表示する。
【００７８】
ここで、ステップ304からステップ312は、動作の特定の実施プロセス、すなわち、“第4のデバイスが、対応するビデオのビデオ情報、現在のフレームのフレーム番号および商品の位置情報に従って広告情報を取得する”ことを実際に提供する。
【００７９】
ステップ313では、問い合わせ結果が、インデックスデータベース内に商品の識別情報に対応する広告情報がないことを示すとき、第2のデバイスは、問い合わせ結果を第1の読み取り応答内に含み、かつ第1の読み取り応答を第4のデバイスに送信する。
【００８０】
実施形態4
上述した実施形態に基づいて、本開示の実施形態は情報処理方法を提供する。図4は、本開示の実施形態4に従って情報処理方法の実施フローチャートである。図4に示されるように、当該方法は、以下ステップを含む。
【００８１】
ステップ401では、第4のデバイスは、ビデオを再生している。
【００８２】
ステップ402では、第4のデバイスは、ビデオの現在のフレーム内の商品を選択する第1の入力動作を取得する。
【００８３】
ステップ403では、第4のデバイスは、ビデオの現在再生されているフレームから、第1の入力動作に対応する商品の識別情報を取得する。
【００８４】
ステップ404では、第4のデバイスは、商品の対応する識別情報に従って、広告情報を取得する。
【００８５】
ステップ405では、第4のデバイスは、第4のデバイスの表示画面に広告情報を表示する。
【００８６】
本開示の実施形態では、ステップ404は、以下の4つの方法において実施されてもよい。
【００８７】
第1の方法: 第4のデバイスは、商品の識別情報に従って商品の広告情報をローカルに取得し、商品の広告情報は、第4のデバイスによって第2のデバイスから要求されたビデオと一緒に得られる。
【００８８】
ここで、第4のデバイスは、ユーザの端末であってもよく、第2のデバイスは、ビデオを提供するサーバであってもよい。
【００８９】
ここで、端末は、第2の予め設定されたインデックスリストを記憶し、端末は、第2のインデックスリストに問い合わせ、商品の識別情報に従って広告情報を取得してもよい。例えば、第1のアドレスは第2のインデックスリストに設定されていてもよく、次いで、第2のインデックスリストは、商品の識別情報に従って第1のアドレスを取得するために問い合わせられ、商品の広告情報は、第1のアドレスに従って取得され、ここで、第1のアドレスは、商品の広告情報のストレージアドレスである。
【００９０】
第1の方法では、サーバは、端末によって要求されたビデオリソースと一緒に商品の広告情報を送信するので、第1の方法がより迅速に実行され、ネットワーク速度などの影響を受けにくい。なお、ユーザが第1の入力動作を実行しないとき、商品の広告情報を表示する必要はなく、端末がサーバにビデオリソースを要求するときに商品の広告情報と一緒に要求することは帯域幅を無駄にする。しかし、商品の広告情報は、主にテキスト、写真およびURL、並びにテキストに占められる帯域幅を含んでおり、テキスト、写真およびURL、並びにビデオに占められる帯域幅は、大きさが様々であるため、このような無駄は、実際にはとても小さい。第1の方法は、より迅速に実施することができ、遅延は短い。ユーザは遅延に敏感であるので、第1の方法は、ステップ411を実施するための好ましい方法である。
【００９１】
第2の方法: 第2のデバイスが検索エンジンを呼び出し、検索エンジンを介して商品の識別子に対応する広告情報を取得する。
【００９２】
ここで、端末は、商品の識別情報を検索キーワードに変換する。検索キーワードは、商品名などの属性情報であってもよい。商品の識別情報も商品名である場合、検索エンジンは、変換を実行せずに直接呼び出され、商品の広告情報は、検索エンジンを介して商品名によって取得される。なお、ビデオの識別情報は、検索プロセスに含まれてもよいため、検索した広告情報とビデオ情報との整合性を保証することができる。本開示の実施形態によって提供される方法により、多くの場合、ユーザがこれらの広告がどこから来ているかについては気に留めないが、これらの広告によって反映された商品がビデオ内の商品と一致しているか否かについては気に留めるため、ユーザの利益を保証することができる。ユーザ体験を向上させるためには、検索プロセスでは、いくつかの信頼できるショッピングサイトが設定されてもよく、これらのショッピングサイトによって提供される商品の広告情報を優先的に提供され、優先順位は、ショッピングサイトに対して設定され、彼らが信頼されているか否かを示してもよく、優先順位の評価パラメータは、ウェブサイトの規模、信頼性、セキュリティなどを含んでもよく、最も優先順位の高いショッピングウェブサイトが最上部に配置される。ビデオ提供者の利点を保証にするために、ビデオ提供者は、広告主と協力して、協力する広告主によって提供される商品の広告情報をユーザに提示してもよい。
【００９３】
第3の方法: 具体的に以下に示すように、ステップ4041から4044が含まれる。
【００９４】
ステップ4041では、第4のデバイスは、商品の識別情報を第2のデバイスに送信し、第2のデバイスに、商品の識別情報に従って商品の広告情報を取得し、商品の広告情報を第4のデバイスに送信するようトリガする。
【００９５】
ここで、第4のデバイスは、ビデオを端末にプッシュするサーバを指す。
【００９６】
ステップ4042では、第4のデバイスは、第2のデバイスによって送信された識別情報を受信し、次いで、第2のインデックスリストに問い合わせて第1のアドレスを取得し、第1のアドレスに基づいて商品の広告情報を取得する。
【００９７】
ここで、第2のインデックスリストおよび第1のアドレスは、第1の方法のそれらと同一であるため、詳細な説明は省略する。
【００９８】
ステップ4043では、第2のデバイスは、商品の広告情報を第4のデバイスに送信する。
【００９９】
ステップ4044では、第4のデバイスは、第2のデバイスから商品の広告情報を受信する。
【０１００】
第3の方法では、第4のデバイスは第2のデバイスに要求を送信する必要があるので、第3の方法は、第1の方法と比較していくらか遅延を有することがある。
【０１０１】
第4の方法: 以下の4つのステップが含まれる。
【０１０２】
ステップ4045では、第4のデバイスは、第2の予め設定されたインデックスリストに問い合わせ、商品の識別情報に従って問い合わせ結果を得る。問い合わせ結果は、商品の識別情報に対応する広告情報がインデックスデータベース内に存在するか否かを示してもよい。
【０１０３】
ステップ4046では、問い合わせ結果が、インデックスデータベース内に商品の識別情報に対応する広告情報が存在することを示すとき、第4のデバイスは、第2のインデックスリストから、商品の識別情報に対応する広告情報の識別情報を得る。
【０１０４】
ステップ4047では、第4のデバイスは、広告情報の識別情報に従って、インデックスデータベースから広告情報を取得する。
【０１０５】
ステップ4048では、問い合わせ結果が、インデックスデータベース内に商品の識別情報に対応する広告情報がないことを示すとき、第4のデバイスは、商品の識別情報を第2のデバイスに送信し、第2のデバイスに、商品の識別情報に従って商品の広告情報を取得し、商品の広告情報を第4のデバイスに送信するようトリガする。
【０１０６】
ステップ4049では、第4のデバイスは、第2のデバイスから商品の広告情報を受信する。
【０１０７】
第4の方法は、第1の方法と第3の方法の妥協策であり、第4の方法では、すべての商品の広告情報をビデオリソースと一緒に要求することができるわけではないので、商品の広告情報が記憶されているか否かがまず判断されてもよく、ステップ4048は第3の方法と同一であり、従って、詳述されない。
【０１０８】
実施形態1の技術的解決法と比較して、本開示の実施形態4によって提供される技術的解決策は、以下の有益な効果を有する。実施形態では、端末は最初にビデオを一時停止し、次いで、ユーザの第1の入力動作に従って要求される商品の識別情報を決定する。ユーザが興味を持っている商品が、ビデオ再生プロセスのほんの数フレームに関与しているため、一時停止が実行される。すなわち、このような短期間に、端末が取得した商品の広告情報をユーザに提示する場合、ユーザが商品の広告情報を読む前に、興味のある商品の再生が終了している可能性が高い。従って、本開示の実施形態によって提供される技術的解決策には一時停止動作が追加される。
【０１０９】
実施形態5
本開示の実施形態は、情報処理方法を提供する。図5は、本開示の実施形態に従う情報処理方法の実施フローチャートである。図5に示されるように、情報処理方法は、以下のステップを含む。
【０１１０】
ステップ501では、第4のデバイスは、ユーザの第3の入力動作を受信する。第3の入力動作は、ユーザによるビデオの再生を要求することである。
【０１１１】
ここで、第4のデバイスは、例えば、スマートフォン、タブレットコンピュータ、PCなどのビデオ再生機能を提供する電子デバイスである、ユーザの端末であってもよい。特定の実施プロセスでは、ユーザは、ビデオ再生ウェブサイトまたはビデオ再生APPを開き、ビデオ提供者によって提供されるビデオインタフェースを入力し、ビデオインタフェースをクリックし、このようにして、第4のデバイスは、ユーザの第3の入力動作を受信する。
【０１１２】
ステップ502では、第4のデバイスは、第3の入力動作に従ってビデオの識別情報を取得する。
【０１１３】
ここで、ビデオの識別情報は、ビデオのシーケンス番号や名称などの属性情報であってもよい。
【０１１４】
ステップ503では: 第4のデバイスは、ビデオの識別情報をビデオ要求に含み、ビデオ要求を第2のデバイスに送信する。
【０１１５】
ここで、ビデオ要求は、ビデオの識別情報に対応する第1の情報を要求するために使用され、第1の情報は、再生されるビデオコンテンツ、ビデオ内に現れる商品の広告情報、第2のインデックスリストなどを含む。
【０１１６】
ステップ504では、第2のデバイスは、第4のデバイスによって送信されるビデオ要求を受信する。
【０１１７】
ステップ505では、第2のデバイスは、ビデオ要求に従って第1の情報を取得する。
【０１１８】
ステップ506では、第2のデバイスは、第1の情報をビデオ応答に含み、ビデオ応答を第4のデバイスに送信する。
【０１１９】
ステップ507では、第4のデバイスは、ビデオ応答を受信する。
【０１２０】
ステップ508では、第4のデバイスは、ビデオ応答内のビデオコンテンツを抽出し、ビデオを再生する。
【０１２１】
ここで、第4のデバイスのビデオ再生プロセスは、図1Cを参照して、上述した実施形態におけるステップ103を参照してもよいため、詳述しない。
【０１２２】
ステップ509では、第4のデバイスは、第1の入力動作を取得する。第1の入力動作は、ビデオの現在のフレーム内の商品を選択するために使用される。
【０１２３】
ステップ510では、第4のデバイスは、ビデオの現在再生されているフレームから、第1の入力動作に対応する商品の識別情報を取得する。
【０１２４】
ここで、ステップ510における第4のデバイスが、ビデオの現在再生されているフレームから第1の入力動作に対応する商品の識別情報を取得する動作は、ステップ203を参照してもよい。
【０１２５】
ステップ511では、第4のデバイスは、商品の対応する識別情報に従って、広告情報を取得する。
【０１２６】
ここで、“第4のデバイスが、商品の識別情報に従って対応する広告情報を取得する”というステップ511の特定の実施プロセスは、実施形態におけるステップ206からステップ208を参照してもよい。なお、実施形態における実施プロセスは、第2のデバイスで完了しているのに対し、図4を参照して説明された実施形態における実施形態は、第4のデバイスで完了しており、すなわち、ステップ206からステップ208は、第2のデバイスによって実行されてもよく、または第4のデバイスのような他のデバイスによって実行されてもよい。
【０１２７】
ステップ512では、第4のデバイスは、第4のデバイスの表示画面に広告情報を表示する。
【０１２８】
実施形態6
本開示の実施形態は、情報処理方法を提供する。図6は、本開示の実施形態6に従う情報処理方法の実施フローチャートである。図6に示されるように、情報処理方法は、以下のステップを含む。
【０１２９】
ステップ601では、第1のデバイスは、ビデオを再生している。
【０１３０】
ここで、第1のデバイスは、第2のデバイスとは異なるものであってもよいし、勿論、第2のデバイスであってもよい。第1のデバイスが第2のデバイスであるとき、第1のデバイスは、広告主によって提供された広告コンテンツに従って、ビデオ提供者の1つまたは複数の商品の広告アクセスを提供してもよい。第1のデバイスが第2のデバイスと異なるとき、第1のデバイスは、広告主に対して広告アクセスを提供してもよい。特定の実施プロセスにおいて、本開示の実施形態によって提供される技術的解決策は、ビデオAPPの形式で提示され得る。この実施形態では、ビデオAPPは、各々がそれぞれのコンテンツを提示する3つおよびさらに4つのインタフェースを有してもよい。例えば、ビデオAPPの第1のインタフェースは、ビデオを見ているユーザに提供されるビデオ要求インタフェースであり、ビデオAPPの第2のインタフェースは広告アクセスインタフェースを提供し、ビデオAPPの第3のインタフェースはビデオアクセスインタフェースを提供し、ビデオAPPの第4のインタフェースは、広告またはビデオ監査インタフェースである。なお、広告アクセスインタフェース、ビデオアクセスインタフェース、および広告またはビデオ監査インタフェースはすべて第2のデバイス(ビデオサーバ)上に実施されてもよいが、ビデオ要求インタフェースは第4のデバイス(端末)上で実施される。
【０１３１】
ステップ602では、第1のデバイスは、ビデオの現在再生されているフレーム内の商品を選択する第1の入力動作を取得する。
【０１３２】
ここで、第1のデバイスが第2のデバイスと異なると仮定して、ステップ601に進み、第1の入力動作は販売者である。
【０１３３】
ステップ603では、第1のデバイスは、ビデオの現在のフレームから、第1の入力動作に対応する商品の識別情報を取得する。
【０１３４】
ここで、ステップ603における第1のデバイスがビデオの現在のフレームから第1の入力動作に対応する商品の識別情報を取得する動作は、以下のステップを含む。
【０１３５】
ステップ6031では、第1のデバイスは、ユーザの第1の入力動作を位置付け、第1の入力動作の位置情報を得る。
【０１３６】
ステップ6032では、第1のデバイスは、ビデオのビデオ情報および現在のフレームのフレーム番号を取得する。
【０１３７】
ステップ6033では、第1のデバイスは、ビデオのビデオ情報と、現在のフレームのフレーム番号と、第1の入力動作の位置情報とに従って、商品の識別情報を決定する。
【０１３８】
ここで、ステップ6031からステップ6033の特定の実施プロセスは、上述の実施形態におけるステップ203を参照してもよい。なお、ステップ203は第4のデバイスによって実行され、本実施形態のステップ603は第1のデバイスによって実行される。すなわち、第1のデバイスであってもよいし、第1の入力動作に対応する商品の識別情報をビデオの現在のフレームから取得する第4のデバイスなどの他の装置であってもよい。
【０１３９】
ステップ604では、第1のデバイスは、商品の広告情報を入力するための第2の入力動作を取得する。
【０１４０】
ここで、第2の入力動作は、販売者に広告情報を提供する動作であってもよい。
【０１４１】
ステップ605では、第1のデバイスは、第2の入力動作に従って、商品の広告情報を取得する。
【０１４２】
ステップ606では、第1のデバイスは、商品の識別情報および広告情報を含む第2の広告アクセス要求を第2のデバイスに送信する。
【０１４３】
ステップ607では、第2のデバイスは、第1のデバイスによって送信された第2の広告アクセス要求を受信する。
【０１４４】
ステップ608では、第2のデバイスは、広告情報が監査にパスしたか否かを示す第2の広告アクセス要求内の広告情報の監査結果を取得する。
【０１４５】
ここで、ステップ608の特定の実施プロセスは、以下の3つの実施方法を含む。
【０１４６】
第1の方法: 第2の広告アクセス要求に応答して、第2のデバイスは、第2の広告アクセス要求内の広告情報を監査し、監査結果を得る。
【０１４７】
第2の方法: 第2の広告アクセス要求に応答して、第2のデバイスは、監査役に広告情報を監査するように促すために第1のプロンプトを送信し、第2のデバイスは、監査役の動作に従って監査結果を取得する。
【０１４８】
第3の方法: 第2の広告アクセス要求に応答して、第2のデバイスは、監査役が広告情報を監査するように要求するための監査要求を第3のデバイスに送信し、第2のデバイスは、第3のデバイスによって送信された監査結果を受信する。
【０１４９】
ここで、第3の方法における監査要求は、広告情報を含んでもよく、または広告情報を含まなくてもよい。広告情報が含まれるとき、監査役または第3のデバイスは、広告情報を直接監査する。広告情報が含まれないとき、第3のデバイスは、第2のデバイスに広告情報を要求し、次いで、監査役または第3のデバイスは、広告情報を監査し、第3のデバイスは、最終的に監査結果を第2のデバイスに送信する。
【０１５０】
ここで、第2の広告アクセス要求内の広告情報の監査し、監査結果を得ることは、第2のデバイスにおける監査役の手動監査(第2の方法)であってもよく、または第2のデバイスによる自動監査(第1の方法)であってもよく、または第3のデバイスにおける監査役の手動監査または第3のデバイスによる自動監査のいずれかのために、第2のデバイスによって第3のデバイスに広告コンテンツを送信してもよい(第3の方法)。監査されるコンテンツは、広告情報におけるピクチャ、テキストおよびウェブページアドレスを含み、監査条件は、広告情報が商品の識別情報と一致するか否か、広告情報が違法コンテンツを含んでいるか否か、および違法コンテンツがポルノコンテンツ、汚い言葉、フィッシングサイト、不正行為などの少なくとも1つを含むか否かであってもよい。
【０１５１】
ステップ609では、第2のデバイスは、監査結果を第2の広告アクセス応答に含み、かつ第2の広告アクセス応答を第1のデバイスに送信する。
【０１５２】
ステップ610では、第1のデバイスは、第2のデバイスによって送信された第2の広告アクセス応答を受信する。第2の広告アクセス応答は、監査結果を含む。
【０１５３】
ここで、監査結果は、広告情報が監査役をパスするか否かを示すために使用される。
【０１５４】
実施形態7
本開示の実施形態は、実施形態7における第2のインデックスリストを確立するための方法を提供する。図7は、本開示の実施形態7に従って第2のインデックスリストを確立するフローチャートである。図7に示されるように、方法は、以下のステップを含む。
【０１５５】
ステップ701では、第2のデバイスは、ビデオに表示された商品の識別情報および商品の広告情報を取得する。
【０１５６】
ステップ702では、第2のデバイスは、ビデオに関連付けられた第2のインデックスリストを確立する。
【０１５７】
ここで、第2のインデックスリストは、ビデオ内に現れる商品の識別情報と、商品の広告情報の識別情報との間のマッピング関係を示すために使用される。
【０１５８】
ステップ703では、第2のデバイスは、第2のインデックスリストを記憶する。
【０１５９】
ステップ701を実施するための3つの方法が、以下に提供される。
【０１６０】
第1の方法: ステップ701において、第2のデバイスがビデオに表示された商品の識別情報および商品の広告情報を取得する動作は、第2のデバイスが、第1のデバイスによって送信された第2の広告アクセス要求を受信することを含み、第2の広告アクセス要求は、商品の識別情報および商品の広告情報を含む。
【０１６１】
ここで、第1のデバイスは、広告主のデバイスであり、広告主は、その自身のクライアントについての広告情報(すなわち、ビデオAPPの広告アクセスインタフェース)を入力し、次いで、第1のデバイスは、第2の広告アクセス要求内で第2のデバイスに広告情報を送信する。
【０１６２】
第2の方法: ステップ701において、第2のデバイスがビデオに表示された商品の識別情報を取得する動作は、以下のステップを含む。
【０１６３】
ステップ7011では、第2のデバイスは、ビデオを再生している。
【０１６４】
ステップ7012では、第2のデバイスは、ビデオの現在再生されているフレーム内で商品を選択するために使用される第1の入力動作を取得する。
【０１６５】
ステップ7013では、第2のデバイスは、ビデオの現在再生されているフレームから第1の入力動作に対応する商品の識別情報を取得する。
【０１６６】
ステップ7014では、第2のデバイスは、商品の広告情報を入力するために使用される第2の入力動作を取得する。
【０１６７】
ここで、第2の方法では、ビデオ提供者は、広告データベース内に商品のための広告を追加する。一般的に、ビデオ提供者および広告主は、広告の公開数またはアクセス時間について契約または合意している。次に、広告主がビデオ提供者の広告情報を提供した後、ビデオ提供者はビデオ内に広告アクセスを実施するので、広告主は自ら広告情報を手動で追加する必要はない。
【０１６８】
第3の方法: ステップ701において、第2のデバイスがビデオに表示された商品の識別情報および商品の広告情報を取得する動作は、以下のステップを含む。
【０１６９】
ステップ7015では、第2のデバイスは、ビデオ内の現在のフレームのフレーム番号情報を取得する。
【０１７０】
ステップ7016では、第2のデバイスは、現在のフレームのフレーム番号情報に従って、現在のフレーム内の商品の識別情報を取得する。
【０１７１】
ステップ7017では、第2のデバイスは、商品の識別情報に従って、広告データベースから商品の広告情報を取得する。
【０１７２】
ここで、第3の方法によって提供される技術的解決策は、実際には第2のデバイスにおいて完全に自動化された解決策であり、第2のデバイスは、それ自体でビデオ内の商品の識別情報に従って広告情報を取得し、次いで、商品の識別情報と広告情報との間にマッピング関係テーブルを確立し、マッピング関係テーブルは、実施プロセスにおいて商品の位置情報も含んでもよい。
【０１７３】
実施形態8
本開示の実施形態は、情報処理方法を提供する。図8は、本開示の実施形態8に従う情報処理方法の実施フローチャートである。図8に示されるように、当該方法は、以下のステップを含む。
【０１７４】
ステップ801では、第1のデバイスは、広告主の第1の広告アクセス要求を第2のデバイスに送信する。第1の広告アクセス要求はビデオ内に現れる商品の識別情報を含む。
【０１７５】
ここで、第1のデバイスは、第2のデバイスと異なり、第1のデバイスは、広告主のデバイスである。
【０１７６】
ステップ802では、第2のデバイスは第1の広告アクセス要求を受信し、かつ商品の識別情報に従って応答情報を決定する。
【０１７７】
ここで、応答情報は、商品の識別情報に対応する商品の、広告主が提供する広告情報へのアクセスを許可するか否かを示すために使用される。
【０１７８】
ここで、第1の広告アクセス要求は、広告主の情報と、商品の情報をさらに含んでもよい。次いで、第2のデバイスは、アクセス要求内の関連情報を監査し、情報が監査にパスした後に商品への広告主の広告アクセスを許可し、情報が監査にパスしなかった場合に広告主の広告アクセスを許可しない。アクセスが許可されるか否かは、応答情報として第1の広告アクセス応答に含まれてもよい。
【０１７９】
ステップ803では、第2のデバイスは、応答情報を第1の広告アクセス応答に含み、かつ第1の広告アクセス応答を第1のデバイスに送信する。
【０１８０】
ステップ804では、第1のデバイスは、第2のデバイスによって送信された第1の広告アクセス応答を受信する。
【０１８１】
ステップ805では、第1の広告アクセス応答内の応答情報が、商品の識別情報に対応する商品の広告主が提供する広告情報へのアクセスを許可することを示すとき、第1のデバイスはプロンプト情報を送信する。
【０１８２】
ここで、プロンプト情報は、広告主に商品の広告情報の入力を促すために使用され、かつ商品の広告情報は、商品の原産地、商品名、価格などの属性情報を含む。
【０１８３】
ステップ806では、第1のデバイスは、広告主の第2の入力動作を受信する。第2の入力動作は、商品の広告情報を提供するように構成される。
【０１８４】
ステップ807では、第1のデバイスは、第2の入力動作に従って、商品の広告情報を取得する。
【０１８５】
ステップ808では、第1のデバイスは、第2の広告アクセス要求を第2のデバイスに送信する。第2の広告アクセス要求は、商品の識別情報および広告情報を含む。
【０１８６】
ステップ809では、第2のデバイスは、第1のデバイスによって送信された第2の広告アクセス要求を受信する。
【０１８７】
ステップ810では、第2のデバイスは、第2の広告アクセス要求に応答して、監査要求を第3のデバイスに送信する。
【０１８８】
ここで、監査要求は、監査役に広告情報を監査するように要求するために使用される。監査要求は、広告情報を含んでもよく、または広告情報を含まなくてもよい。監査要求が広告情報を含む場合、監査役は広告情報を直接的に監査し、第3のデバイスは監査役の動作に従って監査結果を取得する。広告情報が含まれない場合、第3のデバイスは、広告監査役の動作を受信し、第2のデバイスに広告情報を要求し、次いで第3のデバイスは第2のデバイスが送信した広告情報を受信し、監査役は広告情報を監査し、第3のデバイスは、監査役の動作に従って監査結果を取得する。
【０１８９】
ステップ811では、第3のデバイスは、監査結果を、第2のデバイスに送信するための監査応答内に含む。
【０１９０】
ステップ812では、第2のデバイスは、第2の広告アクセス要求内の広告情報の監査結果を取得する。監査結果は、広告情報が監査にパスしたか否かを示すために使用される。
【０１９１】
ステップ813では、第2のデバイスは、監査結果を第2の広告アクセス応答に含み、第2の広告アクセス応答を第1のデバイスに送信する。
【０１９２】
ステップ814では、監査結果が、広告情報が監査にパスしたことを示すとき、第2のデバイスは、広告情報を、ビデオ内の対応する商品にアクセスする。
【０１９３】
ステップ815では、第2のデバイスは、第2のインデックスリストを確立する。
【０１９４】
ここで、第2のインデックスリストは、商品の識別情報と、広告情報の識別情報との間のマッピング関係を示すために使用される。
【０１９５】
ステップ816では、第2のデバイスは、広告情報、商品の識別情報、およびインデックス関係を記憶する。
【０１９６】
ここで、広告情報は、広告情報の識別情報に従ってインデックスデータベース内に記憶される。
【０１９７】
実施形態9
上述した情報処理方法に基づいて、本開示の実施形態は、第2の情報処理装置を提供する。第2の情報処理装置は、第1の取得ユニットと、第2の取得ユニットと、第1の収容ユニットと、第1の送信ユニットとを含む。これらのユニットおよび第2の情報処理装置内の各ユニットに含まれたモジュールは、第2のデバイス内のプロセッサを介して実施されてもよく、または、勿論、特定の論理回路を介して実施されてもよい。特定の実施プロセスでは、プロセッサは、Central Processing Unit(CPU)、Micro Processing Unit(MPU)、Digital Signal Processor(DSP)、またはField-Programmable Gate Array(FPGA)などであってもよい。
【０１９８】
図9は、本開示の実施形態9に従う第2の情報処理装置の構造図である。図9に示されるように、第2の情報処理装置900は、第1の取得ユニット901、第2の取得ユニット902、第1の収容ユニット903、および第1の送信ユニット904を含む。
【０１９９】
第1の取得ユニット901は、商品の識別情報を取得するように構成される。
【０２００】
第2の取得ユニット902は、商品の対応する識別情報に従って広告情報を取得するように構成される。
【０２０１】
第1の収容ユニット903は、第1の読み取り応答内に広告情報を含むように構成される。
【０２０２】
第1の送信ユニット904は、第1の読み取り応答を第4のデバイスに送信するように構成される。
【０２０３】
本開示の実施形態では、2つの実施方法が第1の取得ユニットに採用されている。
【０２０４】
第1の方法: 第1の取得ユニットは、第1の読み取り要求を受信するように構成され、第1の読み取り要求は、商品の識別情報と、商品の識別情報に対応する商品の広告情報を要求するために使用される第1の読み取り要求を含む。
【０２０５】
第2の方法: 第1の取得ユニットは、第1の受信モジュールおよび決定モジュールを含む。
【０２０６】
第1の受信モジュールは、第1の読み取り要求を受信するよう構成され、第1の読み取り要求は、ビデオのビデオ情報と、現在のフレームのフレーム番号と、商品の位置情報とを含み、第1の読み取り要求は、ビデオ情報と、現在のフレームのフレーム番号と、商品の位置情報とに対応する商品の広告情報を要求するために使用される。
【０２０７】
第1の決定モジュールは、第1の読み取り要求内のビデオ情報と、現在のフレームのフレーム番号と、商品の位置情報とに従って商品の識別情報を決定するように構成される。
【０２０８】
図10に示されるように、本開示の別の実施形態では、第2の情報処理装置900内の第2の取得ユニット902は、問い合わせモジュール9021と、処理モジュール9022と、第1の取得モジュール9023とを含む。
【０２０９】
問い合わせモジュール9021は、第2の予め設定されたインデックスリストに問い合わせ、商品の識別情報に従って問い合わせ結果を得るように構成され、問い合わせ結果は、商品の識別情報に対応する広告情報がインデックスデータベース内に存在するか否かを示すために使用される。
【０２１０】
問い合わせ結果が、インデックスデータベース内に商品の識別情報に対応する広告情報が存在することを示すとき、処理モジュール9022は、第2のインデックスリストから商品の識別情報に対応する広告情報の識別情報を得るように構成される。
【０２１１】
第1の取得モジュール9023は、広告情報の識別情報に従って、インデックスデータベースから広告情報を取得するように構成される。
【０２１２】
これに対応して、問い合わせ結果が、インデックスデータベース内に、商品の識別情報に対応する広告情報が存在しないことを示すとき、第1の送信ユニットは、問い合わせ結果を第1の読み取り応答内に含み、第1の読み取り応答を第4のデバイスに送信するようにさらに構成される。
【０２１３】
図11に示されるように、本開示の別の実施形態では、第2の情報処理装置900は、第3の取得ユニット905と、確立ユニット906と、記憶ユニット907とを含む。
【０２１４】
第3の取得ユニット905は、ビデオに表示された商品の識別情報および商品の広告情報を取得するように構成される。
【０２１５】
確立ユニット906は、ビデオの第2のインデックスリストを確立するように構成され、第2のインデックスリストは、ビデオ内に現れる商品の識別情報と、商品の広告情報の識別情報との間のマッピング関係を示すように構成される。
【０２１６】
記憶ユニット907は、第2のインデックスリストを記憶するように構成される。
【０２１７】
ここで、第3の取得ユニットは、3つの方法で実施されてもよい。
【０２１８】
第1の方法: 第3の取得ユニットは、第1のデバイスによって送信された第2の広告アクセス要求を受信するように構成され、第2の広告アクセス要求は、商品の識別情報および商品の広告情報を含む。
【０２１９】
第2の方法: 第3の取得ユニットは、再生モジュールと、第2の取得モジュールと、第3の取得モジュールと、第4の取得モジュールと、第5の取得モジュールとを含む。
【０２２０】
再生モジュールは、ビデオを再生するように構成される。
【０２２１】
第2の取得モジュールは、ビデオの現在再生されているフレーム内の商品を選択する第1の入力動作を取得するように構成される。
【０２２２】
第3の取得モジュールは、ビデオの現在再生されているフレームから、第1の入力動作に対応する商品の識別情報を取得するように構成される。
【０２２３】
第4の取得モジュールは、商品の広告情報を入力するための第2の入力動作を取得するように構成される。
【０２２４】
第5の取得モジュールは、第2の入力動作に従って商品の広告情報を取得するように構成される。
【０２２５】
第3の方法: 第3の取得ユニットは、第6の取得モジュールと、第7の取得モジュールと、第8の取得モジュールとを含む。
【０２２６】
第6の取得モジュールは、ビデオ内の現在のフレームのフレーム番号情報を取得するように構成される。
【０２２７】
第7の取得モジュールは、現在のフレームのフレーム番号情報に従って、現在のフレーム内の商品の識別情報を取得するように構成される。
【０２２８】
第8の取得モジュールは、商品の識別情報に従って、広告データベースから商品の広告情報を取得するように構成される。
【０２２９】
本開示の別の実施形態では、図11に示される実施形態に基づいて、図12に示されるように、第2の情報処理装置900は、第4の取得ユニット908と、第2の収容ユニット909と、第2の送信ユニット910とを含む。
【０２３０】
第4の取得ユニット908は、広告情報が監査にパスしたか否かを示す第2の広告アクセス要求内の広告情報の監査結果を取得するように構成される。
【０２３１】
第2の収容ユニット909は、第2の広告アクセス応答内に監査結果を含むように構成される。
【０２３２】
第2の送信ユニット910は、第2の広告アクセス応答を第1のデバイスに送信するように構成される。
【０２３３】
本開示の実施形態において、第2の情報処理装置は、監査ユニットをさらに含んでもよく、または送信ユニットおよび第5の取得ユニットをさらに含んでもよく、または第3の送信ユニットおよび第1の受信ユニットをさらに含んでもよい。
【０２３４】
監査ユニットは、第2の広告アクセス要求内の広告情報を監査し、第2の広告アクセス要求に応答して、監査結果を得るように構成される。
【０２３５】
あるいは、送信ユニットは、第2の広告アクセス要求に応答して、第1のプロンプトを送信するように構成され、第1のプロンプトは、監査役に広告情報の監査を促すために使用され、第5の取得ユニットは、監査役の動作に従って監査結果を取得するように構成される。
【０２３６】
あるいは、第3の送信ユニットは、第2の広告アクセス要求に応答して、監査要求を第3のデバイスに送信するように構成され、監査要求は、監査役に広告情報を監査するように要求するように構成され、第1の受信ユニットは、第3のデバイスによって送信された監査結果を受信するように構成される。
【０２３７】
なお、第2の情報処理装置の実施形態についての上記説明は、その方法についての説明と同様であり、方法の実施形態と同様の有益な効果を有するため、詳細な説明は省略する。本開示の第2の情報処理装置の実施形態において開示されていない技術的な詳細については、当業者であれば、方法の実施形態の説明を参照することができ、ここでは詳述しない。
【０２３８】
実施形態10
上述した情報処理方法に基づいて、本開示の実施形態は、再生ユニットと、第6の取得ユニットと、第7の取得ユニットと、第8の取得ユニットと、第9の取得ユニットと、第4の送信ユニットと、第2の受信ユニットとを含む第1の情報処理装置を提供する。これらのユニットのすべては、第1のデバイス内のプロセッサを介して実施されてもよく、または、勿論、特定の論理回路を介して実施されてもよい。特定の実施プロセスでは、プロセッサは、CPU、MPU、DSP、またはFPGAなどであってもよい。
【０２３９】
図13は、本開示の実施形態10に従う第1の情報処理装置の構造図である。図13に示されるように、第1の情報処理装置1300は、再生ユニット1301と、第6の取得ユニット1302と、第7の取得ユニット1303と、第8の取得ユニット1304と、第9の取得ユニット1305と、第4の送信ユニット1306と、第2の受信ユニット1307とを含む。
【０２４０】
再生ユニット1301は、ビデオを再生するように構成される。
【０２４１】
第6の取得ユニット1302は、ビデオの現在再生されているフレーム内の商品を選択する第1の入力動作を取得するように構成される。
【０２４２】
第7の取得ユニット1303は、ビデオの現在のフレームから、第1の入力動作に対応する商品の識別情報を取得するように構成される。
【０２４３】
第8の取得ユニット1304は、商品の広告情報を入力するための第2の入力動作を取得するように構成される。
【０２４４】
第9の取得ユニット1305は、第2の入力動作に従って、商品の広告情報を取得するように構成される。
【０２４５】
第4の送信ユニット1306は、第2の広告アクセス要求を第2のデバイスに送信するように構成され、第2の広告アクセス要求は、商品の識別情報および広告情報を含む。
【０２４６】
第2の受信ユニット1307は、第2のデバイスによって送信された第2の広告アクセス応答を受信するように構成され、第2の広告アクセス応答は、広告情報が監査にパスするか否かを示す監査結果を含む。
【０２４７】
本開示の実施形態では、第7の取得ユニットは、位置決めモジュールと、第9の取得モジュールと、第2の決定モジュールとを含む。
【０２４８】
位置決めモジュールは、ユーザの第1の入力動作を位置付け、第1の入力動作の位置情報を得るように構成される。
【０２４９】
第9の取得モジュールは、ビデオのビデオ情報および現在のフレームのフレーム番号を取得するように構成される。
【０２５０】
第2の決定モジュールは、ビデオのビデオ情報と、現在のフレームのフレーム番号と、第1の入力動作の位置情報とに従って、商品の識別情報を決定するように構成される。
【０２５１】
なお、第1の情報処理装置の実施形態についての上記説明は、方法についての説明と同様であり、方法の実施形態と同様の有益な効果を有するため、詳細な説明は省略する。本開示の第1の情報処理装置の実施形態において開示されていない技術的な詳細については、当業者であれば理解するために方法の実施形態の説明を参照することができ、ここでは詳述しない。
【０２５２】
実施形態11
上述した情報処理方法に基づいて、本開示の実施形態は、再生ユニットと、第6の取得ユニットと、第7の取得ユニットと、第10の取得ユニットと、表示ユニットとを含む第4の情報処理装置を提供する。これらのユニットのすべては、第4のデバイス内のプロセッサを介して実施されてもよく、勿論、特定の論理回路を介して実施されてもよい。特定の実施プロセスでは、プロセッサは、CPU、MPU、DSP、またはFPGAなどであってもよい。
【０２５３】
図14は、本開示の実施形態に従う第4の情報処理装置の構造図である。図14に示されるように、第4の情報処理装置1400は、再生ユニット1401と、第6の取得ユニット1402と、第7の取得ユニット1403と、第10の取得ユニット1404と、表示ユニット1405とを含む。
【０２５４】
再生ユニット1401は、ビデオを再生するように構成される。
【０２５５】
第6の取得ユニット1402は、ビデオの現在のフレーム内の商品を選択する第1の入力動作を取得するように構成される。
【０２５６】
第7の取得ユニット1403は、ビデオの現在再生されているフレームから、第1の入力動作に対応する商品の識別情報を取得するように構成される。
【０２５７】
第10の取得ユニット1404は、商品の対応する識別情報に従って、広告情報を取得するように構成される。
【０２５８】
表示ユニット1405は、第4のデバイスの表示画面に広告情報を表示するように構成される。
【０２５９】
本開示の実施形態において、第10の取得ユニットは、含有モジュールと、送信モジュールと、第2の受信モジュールと含む。
【０２６０】
含有モジュールは、第1の読み取り要求内に商品の識別情報を含むように構成される。
【０２６１】
送信モジュールは、第1の読み取り要求を第2のデバイスに送信するように構成される。第1の読み取り要求は、商品の識別情報に対応する商品の広告情報を要求するために使用される。
【０２６２】
第2の受信モジュールは、広告情報を含む第1の読み取り応答を受信するように構成される。
【０２６３】
なお、第4の情報処理装置の実施形態についての上記説明は、方法についての説明と同様であり、方法の実施形態と同様の有益な効果を有するため、詳細な説明は省略する。本開示の第4の情報処理装置の実施形態において開示されていない技術的な詳細については、当業者であれば理解するために方法の実施形態の説明を参照することができ、ここでは詳述しない。
【０２６４】
実施形態12
本開示の各実施形態における各機能ユニットは、処理ユニットに統合されてもよく、各ユニットは独立して存在してもよく、2つ以上のユニットも1つのユニットに統合されてもよい。上記統合されたユニットは、ハードウェアにより実施されてもよいし、またはハードウェアおよびソフトウェアの機能ユニットの組み合わせによって実施されてもよい。
【０２６５】
第1のデバイス、第2のデバイス、第3のデバイス、および第4のデバイスは、実際には広告システムを実施し、広告システムは、広告主、ビデオ提供者、およびユーザなどの様々な機能を実施してもよい。図15は、本開示一実施形態に従う広告システムのアーキテクチャ図である。図15に示すように、システムは、階層構造に従って、アクセス層1501、論理層1502、およびデータ層1503に分割される。
【０２６６】
アクセス層1501は、広告アクセスモジュール1511と、広告監査モジュール1512と、商品位置決めモジュール1513と、広告表示モジュール1514とを含む。
【０２６７】
広告アクセスモジュール1511は、広告主に広告アクセス機能を提供するように構成され、広告主は、広告情報を提出する。
【０２６８】
広告監査モジュール1512は、広告主によってアクセスが要求された広告を監査するように構成される。
【０２６９】
商品位置決めモジュール1513は、ビデオ内に現れる商品の位置を特定するように構成され、バックグラウンドでは、広告の一群を一意に示すために、位置決めモジュールの測位結果が、対応する商品広告インデックスに変換される。
【０２７０】
広告表示モジュール1514は、ビデオユーザによって選択された商品の広告をユーザに表示するように構成される。
【０２７１】
論理層1502は、書き込みサービスモジュール1521と読み取りサービスモジュール1522とを含む。
【０２７２】
書き込みサービスモジュール1521は、広告主が入力した広告情報をデータ層に配置して書き込み、一方で、広告を対応する広告インデックスに関連付けるように構成される。
【０２７３】
読み取りサービスモジュール1522は、ビデオユーザの選択に従って対応する広告をユーザに表示するように構成される。
【０２７４】
データ層1503は、データ配置サービスモジュール1531と、データキャッシングサービスモジュール1532と、広告情報記憶モジュール1533と、広告インデックス記憶モジュール1534とを含む。
【０２７５】
データ配置サービスモジュール1531は、記憶モジュールに書き込むデータを配置してチェックするように構成され、
データキャッシングサービスモジュール1532は、ボトム層データをキャッシュして、システム性能を向上させるように構成される。
【０２７６】
広告情報記憶モジュール1533は、広告の特定の情報を確定して記憶するように構成される。
【０２７７】
広告インデックス記憶モジュール1534は、広告の識別情報を記憶するように構成される。
【０２７８】
実施形態13
実施形態12に基づいて、本開示の実施形態は、情報処理方法を提供する。図16は、本開示の実施形態13に従う情報処理方法のフローチャートを示す。図16に示されるように、方法は以下のステップを含む。
【０２７９】
ステップ1601では、広告主は、商品位置決めモジュールによってビデオ内に現れる商品を位置付けし、広告アクセス要求を開始する。
【０２８０】
ステップ1602では、商品位置決めモジュールは、ユーザの動作に従って商品の位置情報を取得し、商品の位置情報と広告主の要求情報とを広告アクセスモジュールに送信する。
【０２８１】
ステップ1603では、広告アクセスモジュールは、広告主のために広告情報入力インタフェースを返す。
【０２８２】
ステップ1604では、広告主は、広告情報を入力し、かつ提出する。
【０２８３】
ステップ1605では、広告アクセスモジュールは、広告情報を受信した後、処理のために論理層の書き込みサービスに広告情報を送信する。
【０２８４】
ステップ1606では、書き込みサービスモジュールは、広告情報を受信した後、一方では監査メッセージを広告監査モジュールに非同期的にプッシュして、広告監査フローを開始し、他方では、書き込みサービスは、広告情報をデータ層のデータ配置サービスに送信する。
【０２８５】
ステップ1607では、広告監査モジュールは、監査の詳細を受信した後、監査通知を広告監査役に送信する。
【０２８６】
ステップ1608では、広告監査役は、広告監査通知を受信した後、広告監査動作を実行し、監査動作終了後に監査結果を広告監査モジュールに提出する。
【０２８７】
ステップ1609では、広告監査モジュールは、監査結果を受信した後に、広告監査結果を広告主に同期させる。
【０２８８】
ステップ1610では、データ整列サービスモジュールは、書き込みサービスモジュールによって送信された広告情報を受信し、商品の位置情報を広告インデックスに変換する動作などのデータ配置動作を実行する。
【０２８９】
ステップ1611では、データ配置サービスモジュールは、広告された商品の識別情報を広告インデックス記憶モジュールに書き込む。
【０２９０】
ステップ1612では、広告インデックス記憶モジュールは記憶結果を返す。
【０２９１】
ステップ1613では、データ配置サービスモジュールは、広告情報を広告メッセージ記憶モジュールに同時に記憶する。
【０２９２】
ステップ1614では、広告メッセージ記憶モジュールは記憶結果を返す。
【０２９３】
ステップ1615では、データ配置サービスモジュールは、データ書き込み結果を論理層に返す。
【０２９４】
ステップ1616では、書き込みサービスモジュールは、データ書き込み結果を広告アクセスモジュールに返す
【０２９５】
ステップ1617では、広告アクセスモジュールは、広告アクセス結果を広告主に返す。
【０２９６】
実施形態14
実施形態12に基づいて、本開示の実施形態は、情報処理方法を提供する。図17は、本開示の実施形態14に従う情報処理方法の実施フローチャートを示す。図17に示されるように、当該方法は、以下のステップを含む。
【０２９７】
ステップ1701では、ビデオ視聴プロセスにおいて興味のある商品を見るとき、ビデオユーザはビデオを一時停止し、商品位置決めモジュールを介して商品位置決め動作を実行する。
【０２９８】
ステップ1702では、商品位置決めモジュールは、商品の位置情報及びビデオ情報を取得し、読み取りサービスへの読み取り要求を開始する。
【０２９９】
ステップ1703では、読み取りサービスモジュールは、データキャッシュサービスモジュールに、商品の位置情報およびビデオ情報に従って、対応する広告インデックスを問い合わせる。
【０３００】
ステップ1704では、データキャッシングサービスモジュールは、キャッシングモジュールに対応する広告インデックスを問い合わせ、キャッシングモジュール内に対応する広告の識別情報がない場合、データキャッシングサービスモジュールは、広告インデックス記憶モジュールにデータを要求する。
【０３０１】
ステップ1705では、広告インデックス記憶モジュールは、データキャッシングサービスモジュールに問い合わせ結果を返し、広告インデックス記憶モジュールが対応する広告インデックスデータを有する場合、データキャッシングサービスモジュールは、キャッシングモジュールへ広告インデックスを更新する。
【０３０２】
ステップ1706では、データキャッシングサービスモジュールは、広告インデックス問い合わせ結果を読み取りサービスモジュールに返す。
【０３０３】
ステップ1707では、データキャッシングサービスモジュールによって読み取りサービスに返された広告インデックス問い合わせ結果が広告インデックスが存在しないことを示す場合、読み取りサービスモジュールは広告表示モジュールに広告メッセージを返さない。
【０３０４】
ステップ1708では、データキャッシングサービスモジュールによって読み取りサービスに返された広告インデックス問い合わせ結果が広告インデックスが存在することを示す場合、読み取りサービスモジュールは広告情報をデータキャッシングサービスモジュールに要求し続ける。
【０３０５】
ステップ1709では、データキャッシングサービスモジュールは、キャッシングモジュールに、対応する広告情報を問い合わせ、キャッシングモジュール内に広告情報が存在しない場合、広告情報保存モジュールにデータを要求する。
【０３０６】
ステップ1710では、広告情報記憶モジュールは、問い合わせ要求を受信した後に、そのインデックスに対応する広告データをローカルに問い合わせ、返す。
【０３０７】
ステップ1711では、データキャッシングサービスモジュールは、広告情報データを取得した後、キャッシングのためにキャッシングモジュールへ広告情報を更新し、読み取りサービスに広告情報を返す。
【０３０８】
ステップ1712では、読み取りサービスモジュールは、広告情報を読み取った後、広告表示モジュールにデータを返す。
【０３０９】
ステップ1713では、広告表示モジュールは、フローティング層方式で広告コンテンツをビデオユーザに表示する。
【０３１０】
本開示の実施形態における情報処理方法は、実際に広告をユーザに表示する方法を提供する。本開示では、広告情報が移動端末のリンクアドレスを含む場合、システムは、リンクアドレスに対応する2次元コードパターンを生成してフローティング層に表示してもよい。このような方法により、広告インタフェースが現れた後、PCまたはTVでビデオを視聴しているユーザは、2次元コードをスキャンして、モバイルデバイスによって、対応するサイト(商品の購入インタフェースおよび広告ホームページなど)にジャンプしてもよく、このようにして、ユーザは、ビデオ内の広告インタフェースに長時間滞在する必要はなく、広告が長時間現れるとき、ビデオを視聴するユーザを邪魔することを避けることができる。
【０３１１】
なお、本開示の実施形態においては、ソフトウェア機能モジュールの形態で実施され、独立した製品として販売または使用されるとき、上述した情報処理方法は、コンピュータ読み取り可能な記憶媒体に記憶されてもよい。このような理解に基づいて、本開示の実施形態の技術的解決策は、実質的にまたは従来技術に寄与する部分をソフトウェア製品の形で実施されてもよく、コンピュータソフトウェア製品は、コンピュータ(PC、サーバ、またはネットワークデバイスなどであってもよい)が本開示の各実施形態における方法のすべてまたは一部を実行することを可能させるように構成された複数の命令を含む記憶媒体に記憶される。上述した記憶媒体は、Uディスク、モバイルハードディスク、読み取り専用メモリ(ROM)、磁気ディスク、光ディスクなどのプログラムコードを記憶可能な各種メディアを含む。従って、本開示の実施形態は、特定のハードウェアおよびソフトウェアの組み合わせに限定されない。
【０３１２】
これに対応して、本開示の実施形態は、本開示の第1のデバイス、第2のデバイスまたは第4のデバイスサイドで情報処理方法を実行するためのコンピュータ実行可能命令が記憶されたコンピュータ記憶媒体をさらに提供する。
【０３１３】
上述した記憶媒体に基づいて、本開示の実施形態は、記憶媒体、プロセッサおよび表示画面を含む第2のデバイスをさらに提供する。
【０３１４】
記憶媒体は、コンピュータ実行可能命令を記憶するように構成される。
【０３１５】
表示画面は、商品を含むビデオを表示するように構成される。
【０３１６】
プロセッサは、記憶媒体に記憶されたコンピュータ実行可能命令を実行するように構成され、コンピュータ実行可能命令は、ビデオ内の商品の識別情報を取得することと、商品の識別情報に従って対応する広告情報を取得することと、第1の読み取り応答内に広告情報を含み、かつ第1の読み取り応答を第4のデバイスに送信することとを含む。
【０３１７】
上述した記憶媒体に基づいて、本開示の実施形態は、記憶媒体、プロセッサおよび表示画面を含む第1のデバイスをさらに提供する。
【０３１８】
記憶媒体は、コンピュータ実行可能命令を記憶するように構成される。
【０３１９】
表示画面は、商品を含むビデオを表示するように構成される。
【０３２０】
プロセッサは、記憶媒体に記憶されたコンピュータ実行可能命令を実行するように構成され、コンピュータ実行可能命令は、ビデオを再生することと、ビデオの現在再生されているフレーム内の商品を選択する第1の入力動作を取得することと、ビデオの現在のフレームから第1の入力動作に対応する商品の識別情報を取得することと、商品の広告情報を入力するための第2の入力動作を取得することと、第2の入力動作に従って商品の広告情報を取得することと、商品の識別情報および広告情報を含む第2の広告アクセス要求を第2のデバイスに送信することと、第2のデバイスによって送信された第2の広告アクセス応答を受信することであって、第2の広告アクセス応答は監査結果を含み、かつ広告情報が監査にパスしたか否かを示す、受信することとを含む。
【０３２１】
上述した記憶媒体に基づいて、本開示の実施形態は、記憶媒体、プロセッサおよび表示画面を含む第4のデバイスをさらに提供する。
【０３２２】
記憶媒体は、コンピュータ実行可能命令を記憶するように構成される。
【０３２３】
表示画面は、商品を含むビデオを表示するように構成される。
【０３２４】
プロセッサは、記憶媒体に記憶されたコンピュータ実行可能命令を実行するように構成され、コンピュータ実行可能命令は、ビデオを再生することと、ビデオの現在再生されているフレーム内の商品を選択する第1の入力動作を取得することと、ビデオの現在のフレームから第1の入力動作に対応する商品の識別情報を取得することと、商品の識別情報に従って、商品の識別情報に従って対応する広告情報を取得することと、第4のデバイスの表示画面に広告情報を表示することとを含む。
【０３２５】
なお、第1の情報処理装置、第2のデバイス、第3の情報処理装置の説明など、本開示の実施形態の第1、第2、第3、第4などは、いずれもシーケンシャルな関係を表すことを意図しておらず、簡潔な説明と明確な引用を意図するものである。
【０３２６】
明細書全体に記載された「一実施形態」または「実施形態」は、実施形態に関連する特定の特性、構造または性質が本開示の少なくとも1つの実施形態に含まれることを意味することを理解されたい。従って、明細書全体の各ユニットに現れる「一実施形態では」または「実施形態では」は必ずしも同一実施形態を指すとは限らない。さらに、これらの特定の特性、構造または性質は、1つまたは複数の実施形態において、任意の適切な方法で組み合わせられてもよい。本開示の各実施形態における各プロセスのシーケンス番号の大きさは、実行シーケンスを特定することを意図したものではなく、各プロセスの実行シーケンスは、その機能および内部ロジックに従って決定されるべきであり、本開示の実施形態の実施プロセスが形成されるべきと限定されないことが理解されるべきである。本開示の実施形態のシーケンス番号は、ただ簡潔な説明を意図するものであり、実施形態の質を表すものではない。
【０３２７】
なお、本開示における用語「含む(include)」、「含む(contain)」または任意の他の変形は、非排他的な包含物を包含することを意図しているので、一連の要素を含むプロセス、方法、物、または装置がこれらの要素を含むだけでなく、明確に列挙されていない他の要素も含み、またはさらにプロセス、方法、物、または装置に本来備わっている要素を含む。制限がないという条件下で、「含む」という文で限定された要素は、その要素を含むプロセス、方法、物または装置に同一の追加要素が依然として存在するという条件を排除するものではない。
【０３２８】
本開示によって提供されるいくつかの実施形態では、開示されたデバイスおよび方法は、別の方法で実施され得ることが理解されるべきである。上述したデバイスの実施形態は概略的なものに過ぎず、例えば、ユニットの分割は論理機能分割のみであり、実際の実施中に他の分割方法が採用されてもよい。例えば、複数のユニットまたはコンポーネントが組み合わされ、または別のシステムに統合されたり、または一部の特性が無視されたり、または実行されなくてもよい。さらに、結合、または表示されたまたは説明された各構成要素間の直接結合若しくは通信接続は、間接結合または通信接続であってもよく、デバイスまたはユニットのいくつかのインタフェースを介して実施され、電気的および機械的であってもよく、または他の形式を採用してもよい。
【０３２９】
上述したユニットは、物理的に分離されていてもよいし、されていなくてもよく、ユニットとして表示される一部は、物理ユニットであってもよく、物理ユニットでなくてもよく、すなわち、同一の位置に置かれてもよく、または複数のネットワークユニットに分散されてもよい。実用上の要求に従って、実施形態の解決の目的を達成するために、ユニットの一部またはすべてが選択されてもよい。
【０３３０】
当業者であれば、上述の方法の実施形態のステップのすべてまたは一部が、関連するハードウェアにプログラムを介して指示することにより実施されてもよく、上述したプログラムがコンピュータ読み取り可能な記憶媒体に記憶されてもよく、プログラムが上述した方法の実施形態のステップを実行するために実行され、記憶媒体は、モバイル記憶装置、ROM、磁気ディスク、光ディスクなどのプログラムコードを記憶可能な各種メディアが含むことは知っているべきである。
【０３３１】
あるいは、ソフトウェア機能モジュールの形態で実施され、独立した製品として販売または使用されるとき、本開示の統合ユニットは、コンピュータ可読記憶媒体に記憶されてもよい。このような理解に基づいて、本開示の実施形態の技術的解決策は、実質的にまたは従来技術に寄与する部分をソフトウェア製品の形で実施することができ、コンピュータソフトウェア製品は、コンピュータ(PC、サーバ、ネットワークデバイスなどであってもよい)が本開示の各実施形態における方法のすべてまたは一部を実行可能にするように構成された複数の命令を含む記憶媒体に記憶されている。上述した記憶媒体は、モバイル記憶装置、ROM、磁気ディスク、光ディスクなどのプログラムコードを記憶可能な各種メディアを含む。
【０３３２】
上記は、本開示の特定の実施形態のみであり、本開示の保護の範囲を限定することを意図するものではない。本開示によって開示された技術的範囲内で当業者に明らかな任意の変形または置換は、本開示の保護の範囲内に入るものとする。従って、本開示の保護の範囲は、特許請求の範囲の保護の対象となるものとする。
【産業上の利用可能性】
【０３３３】
本開示の実施形態では、第2のデバイスは、ビデオ内の商品の識別情報を取得し、第2のデバイスは、対応する商品の識別情報に従って広告情報を取得し、第2のデバイスは、第1の読み取り応答内に広告情報を含み、第1の読み取り応答を第4のデバイスに送信する。このようにして、直接的にビデオユーザは商品の消費者にされ得、それによってビデオの収益が増加する。
【符号の説明】
【０３３４】
１２  ネックレス
１３  ネクタイ
１４  シャツ
１５  メガネ
１６  上着
１７  ミルク
１９  半袖シャツ
２１  シフォンシャツ
４１  ネットワーク
４２  のデバイス
４３  のデバイス
５１  ビデオの識別情報
５２  フレーム番号
５３  第1の方向
５４  第2の方向
１４０  フローティング層
１４１  クローズボタン
１４２  販売モール
１４３  リンクされたコンテンツ
９００  第2の情報処理デバイス
９０１  第1の取得ユニット
９０２  第2の取得ユニット
９０３  第1の収容ユニット
９０４  第1の送信ユニット
９０５  第3の取得ユニット
９０６  確立ユニット
９０７  記憶ユニット
９０８  第4の取得ユニット
９０９  第2の収容ユニット
９１０  第2の送信ユニット
１３００  第1の情報処理デバイス
１３０１  再生ユニット
１３０２  第6の取得ユニット
１３０３  第7の取得ユニット
１３０４  第8の取得ユニット
１３０５  第9の取得ユニット
１３０６  第4の送信ユニット
１３０７  第2の受信ユニット
１４００  第4の情報処理デバイス
１４０１  再生ユニット
１４０２  第6の取得ユニット
１４０３  第7の取得ユニット
１４０４  第10の取得ユニット
１４０５  表示ユニット
１５０１  アクセス層
１５０２  論理層
１５０３  データ層
１５１１  広告監査モジュール
１５１２  広告アクセスモジュール
１５１３  商品位置決めモジュール
１５１４  広告表示モジュール
１５２１  書き込みサービスモジュール
１５２２  読み取りサービスモジュール
１５３１  データ配置サービスモジュール
１５３２  データキャッシングサービスモジュール
１５３３  広告情報記憶モジュール
１５３４  広告インデックス記憶モジュール
９０２１  問い合わせモジュール
９０２２  処理モジュール
９０２３  第1の取得モジュール
【図１−１】
0006651237.tif 000002
【図１−２】
0006651237.tif 000003
【図１−３】
0006651237.tif 000004
【図１−４】
0006651237.tif 000005
【図２−１】
0006651237.tif 000006
【図２−２】
0006651237.tif 000007
【図２−３】
0006651237.tif 000008
【図２−４】
0006651237.tif 000009
【図２−５】
0006651237.tif 000010
【図３】
0006651237.tif 000011
【図４】
0006651237.tif 000012
【図５】
0006651237.tif 000013
【図６】
0006651237.tif 000014
【図７】
0006651237.tif 000015
【図８】
0006651237.tif 000016
【図９】
0006651237.tif 000017
【図１０】
0006651237.tif 000018
【図１１】
0006651237.tif 000019
【図１２】
0006651237.tif 000020
【図１３】
0006651237.tif 000021
【図１４】
0006651237.tif 000022
【図１５】
0006651237.tif 000023
【図１６】
0006651237.tif 000024
【図１７】
0006651237.tif 000025